(57)【要約】  ジアミン変性シリコーンオイルを含む潤滑剤（Ａ）と、トランス−１，２−ジクロロエチレン（ｔＤＣＥ）と１，１，２，２−テトラフルオロ−１−（２，２，２−トリフルオロエトキシ）エタン（ＨＦＥ−３４７ｐｃ−ｆ）とを含む溶剤（Ｂ）とを含み、ｔＤＣＥが、ｔＤＣＥとＨＦＥ−３４７ｐｃ−ｆとの合計１００質量％のうち、４０〜７０質量％含まれ、ＨＦＥ−３４７ｐｃ−ｆが、ｔＤＣＥとＨＦＥ−３４７ｐｃ−ｆとの合計１００質量％のうち、３０〜６０質量％含まれる、潤滑剤溶液。【特許請求の範囲】
【請求項１】
ジアミン変性シリコーンオイルを含む潤滑剤（Ａ）と、
トランス−１，２−ジクロロエチレンと１，１，２，２−テトラフルオロ−１−（２，２，２−トリフルオロエトキシ）エタンとを含む溶剤（Ｂ）と
を含み、
トランス−１，２−ジクロロエチレンが、トランス−１，２−ジクロロエチレンと１，１，２，２−テトラフルオロ−１−（２，２，２−トリフルオロエトキシ）エタンとの合計１００質量％のうち、４０〜７０質量％含まれ、
１，１，２，２−テトラフルオロ−１−（２，２，２−トリフルオロエトキシ）エタンが、トランス−１，２−ジクロロエチレンと１，１，２，２−テトラフルオロ−１−（２，２，２−トリフルオロエトキシ）エタンとの合計１００質量％のうち、３０〜６０質量％含まれることを特徴とする潤滑剤溶液。
【請求項２】
前記潤滑剤（Ａ）が、前記潤滑剤溶液の１００質量％のうち、０．０１〜５０質量％含まれる、請求項１に記載の潤滑剤溶液。
【請求項３】
前記溶剤（Ｂ）が、前記潤滑剤溶液の１００質量％のうち、５０〜９９．９９質量％含まれる、請求項１または２に記載の潤滑剤溶液。
【請求項４】
前記溶剤（Ｂ）が、トランス−１，２−ジクロロエチレンに可溶な有機溶剤（Ｂ１）をさらに含む、請求項１〜３のいずれか一項に記載の潤滑剤溶液。
【請求項５】
前記有機溶剤（Ｂ１）が、炭素数１〜３のアルコールである、請求項４に記載の潤滑剤溶液。
【請求項６】
前記有機溶剤（Ｂ１）が、前記溶剤（Ｂ）の１００質量％のうち、０．１〜５０質量％含まれる、請求項４または５に記載の潤滑剤溶液。
【請求項７】
前記溶剤（Ｂ）が、トランス−１，２−ジクロロエチレンと、１，１，２，２−テトラフルオロ−１−（２，２，２−トリフルオロエトキシ）エタンと、炭素数１〜３のアルコールとからなる、請求項１〜６のいずれか一項に記載の潤滑剤溶液。
【請求項８】
ジアミン基含有アルコキシシランおよびその部分縮合体のいずれか一方をさらに含む、請求項１〜７のいずれか一項に記載の潤滑剤溶液。
【請求項９】
請求項１〜８のいずれか一項に記載の潤滑剤溶液を被塗布物の表面に塗布する工程と、
前記被塗布物の表面に塗布された前記潤滑剤溶液中の前記溶剤（Ｂ）を蒸発させ、前記被塗布物の表面に前記潤滑剤（Ａ）を含む塗膜を形成する工程と
を有することを特徴とする潤滑剤塗膜付き物品の製造方法。
【請求項１０】
前記被塗布物が注射針である、請求項９に記載の潤滑剤塗膜付き物品の製造方法。
【発明の詳細な説明】
【技術分野】
【０００１】
本発明は、潤滑剤溶液、および潤滑剤塗膜付き物品の製造方法に関する。
【背景技術】
【０００２】
潤滑剤を含む塗膜（以下、潤滑剤塗膜とも記す。）を有する物品は、たとえば、潤滑剤を溶剤に溶解した潤滑剤溶液を被塗布物の表面に塗布した後、溶剤を蒸発させて被塗布物の表面に潤滑剤塗膜を形成することによって製造される。【０００３】
溶剤としては、不燃性であり、かつ化学的および熱的安定性に優れる点から、クロロフルオロカーボン類（以下、ＣＦＣ類と記す。）、ハイドロクロロフルオロカーボン類（以下、ＨＣＦＣ類と記す。）が用いられる。しかし、ＣＦＣ類およびＨＣＦＣ類はオゾン層に悪影響を及ぼすことから、先進国においては２０２０年にＣＦＣ類およびＨＣＦＣ類の生産が全廃される予定である。【０００４】
オゾン層に悪影響を及ぼさない溶剤としては、ペルフルオロカーボン類（以下、ＰＦＣ類と記す。）、ハイドロフルオロカーボン類（以下、ＨＦＣ類と記す。）、ハイドロフルオロエーテル類（以下、ＨＦＥ類と記す。）等が知られている。しかし、ＰＦＣ類およびＨＦＣ類は、地球温暖化係数が大きいため、京都議定書の規制対象物質となっている。また、ＰＦＣ類、ＨＦＣ類、およびＨＦＥ類は、潤滑剤の溶解性が低いことから、潤滑剤の溶剤としては適用範囲が狭い。【０００５】
地球環境に悪影響を及ぼさず、かつ潤滑剤の溶解性に優れる溶剤としては、トランス−１，２−ジクロロエチレン（ｔｒａｎｓ−ＣＨＣｌ＝ＣＨＣｌ、以下、ｔＤＣＥとも記す。）が知られている。しかし、ｔＤＣＥは、引火点を有するために単独で使用することが難しい。【０００６】
引火点を有しない潤滑剤の溶解性に優れる溶剤としては、ｔＤＣＥとフッ素系溶剤とを混合した様々な溶剤が提案されている。例えば、特許文献１には、ｔＤＣＥとメチルペルフルオロブチルエーテル（ＣＨ３ＯＣＦ２ＣＦ２ＣＦ２ＣＦ３、以下、ＨＦＥ−４４９ｓ１とも記す。）とからなる溶剤が開示されている。特許文献１に開示されている溶剤は、シリコーン系潤滑剤の溶剤として有用である。また、特許文献２には、ｔＤＣＥとメチルペルフルオロへプテンエーテル（以下、ＭＰＨＥとも記す。）とを含む溶剤が開示されている。特許文献２に開示されている溶剤は、基板表面のシリコーン流体を除去するための溶剤として有効である。【０００７】
潤滑剤塗膜が形成される被塗布物が注射針等の金属の場合、潤滑剤としては、金属との密着性に優れる点から、変性シリコーンオイル、特にジアミン変性シリコーンオイルが用いられる。特許文献１および２の溶剤は、ジアミン変性シリコーンオイルを溶解するが、数日間保存した溶液の安定性（以下、保存安定性と記す。）が不充分である。そのため、ジアミン変性シリコーンオイルと特許文献１または２の溶剤とを含む潤滑剤溶液は、保存中に白濁または潤滑剤が分離してしまうという問題を有する。そして、白濁または潤滑剤が分離した潤滑剤溶液を用いる場合、被塗布物の表面に均一な潤滑剤塗膜を形成できないことがある。【０００８】
また、ジアミン変性シリコーンオイルは、架橋剤であるジアミン基含有アルコキシシランと併用されることがある。【０００９】
また、ｔＤＣＥとフッ素系溶剤とを混合した溶剤として、特許文献３には、ｔＤＣＥと１，１，２，２−テトラフルオロ−１−（２，２，２−トリフルオロエトキシ）エタン（ＣＦ３ＣＨ２ＯＣＦ２ＣＦ２Ｈ、以下、ＨＦＥ−３４７ｐｃ−ｆとも記す。）とからなる溶剤、特許文献４には、ｔＤＣＥとＨＦＥ−３４７ｐｃ−ｆとメタノールとを含む溶剤がそれぞれ開示されている。しかし、特許文献３および４には、これら開示されている溶剤を潤滑剤の溶剤として用いることについての記載はない。さらには、特許文献３および４の溶剤が、ジアミン変性シリコーンオイルの溶解性を有するかどうかについては不明である。
【先行技術文献】
【特許文献】
【００１０】
【特許文献１】特許第２９０８０３３号公報
【特許文献２】特表２０１４−５１１４２８号公報
【特許文献３】特許第２８７９８４７号公報
【特許文献４】特許第４５５６６６９号公報
【発明の概要】
【発明が解決しようとする課題】
【００１１】
本発明は、地球環境に悪影響を及ぼさず、保存安定性に優れ、引火点を有しない潤滑剤溶液、および該潤滑剤溶液を用いた潤滑剤塗膜付き物品の製造方法を提供することを目的とする。
【課題を解決するための手段】
【００１２】
本発明は、下記の構成を有する潤滑剤溶液および潤滑剤塗膜付き物品を提供する。
［１］ジアミン変性シリコーンオイルを含む潤滑剤（Ａ）と、ｔＤＣＥとＨＦＥ−３４７ｐｃ−ｆとを含む溶剤（Ｂ）とを含み、ｔＤＣＥが、ｔＤＣＥとＨＦＥ−３４７ｐｃ−ｆとの合計１００質量％のうち、４０〜７０質量％含まれ、ＨＦＥ−３４７ｐｃ−ｆが、ｔＤＣＥとＨＦＥ−３４７ｐｃ−ｆとの合計１００質量％のうち、３０〜６０質量％含まれることを特徴とする潤滑剤溶液。
［２］前記潤滑剤（Ａ）が、前記潤滑剤溶液の１００質量％のうち、０．０１〜５０質量％含まれる、［１］の潤滑剤溶液。
［３］前記溶剤（Ｂ）が、前記潤滑剤溶液の１００質量％のうち、５０〜９９．９９質量％含まれる、［１］または［２］の潤滑剤溶液。
［４］前記溶剤（Ｂ）が、ｔＤＣＥに可溶な有機溶剤（Ｂ１）をさらに含む、［１］〜［３］のいずれかの潤滑剤溶液。
［５］前記有機溶剤（Ｂ１）が、炭素数１〜３のアルコールである、［４］の潤滑剤溶液。
［６］前記有機溶剤（Ｂ１）が、前記溶剤（Ｂ）の１００質量％のうち、０．１〜５０質量％含まれる、［４］または［５］の潤滑剤溶液。
［７］前記溶剤（Ｂ）が、トランス−１，２−ジクロロエチレンと、１，１，２，２−テトラフルオロ−１−（２，２，２−トリフルオロエトキシ）エタンと、炭素数１〜３のアルコールとからなる、［１］〜［６］のいずれかの潤滑剤溶液。
［８］ジアミン基含有アルコキシシランおよびその部分縮合体のいずれか一方をさらに含む、［１］〜［７］のいずれかの潤滑剤溶液。
［９］［１］〜［８］のいずれかの潤滑剤溶液を被塗布物の表面に塗布する工程と、前記被塗布物の表面に塗布された前記潤滑剤溶液中の前記溶剤（Ｂ）を蒸発させ、前記被塗布物の表面に前記潤滑剤（Ａ）を含む塗膜を形成する工程とを有することを特徴とする潤滑剤塗膜付き物品の製造方法。
［１０］前記被塗布物が注射針である、［９］の潤滑剤塗膜付き物品の製造方法。
【発明の効果】
【００１３】
本発明によれば、地球環境に悪影響を及ぼさず、保存安定性に優れ、引火点を有しない潤滑剤溶液を提供することができる。さらには、地球環境に悪影響を及ぼさずに、均一な潤滑剤塗膜を有する物品を安全に製造できる潤滑剤塗膜付き物品の製造方法を提供することができる。
【発明を実施するための形態】
【００１４】
以下、本発明の実施形態について説明する。本発明は、下記の実施形態に限定されることはない。本発明の範囲を逸脱することなく、下記の実施形態に種々の変形および置換を加えることができる。
【００１５】
以下の用語の定義は、本明細書および特許請求の範囲にわたって適用される。「潤滑剤」とは、２つの部材が互いの面を接触させた状態で運動するときに、接触面における摩擦を軽減し、熱の発生や摩耗損傷を防ぐために用いるものを意味する。「フッ素系潤滑剤」とは、分子内にフッ素原子を有する潤滑剤を意味する。「シリコーン系潤滑剤」とは、シリコーンを含む潤滑剤を意味する。「シリコーンオイル」とは、シロキサン結合（Ｓｉ−Ｏ−Ｓｉ）を主骨格とし、ケイ素原子にメチル基等の有機基が結合した有機ケイ素化合物の重合体、いわゆるシリコーンのうち、比較的重合度が低く、常温（２５℃）で油状であるのものを意味する。「ジアミン変性シリコーンオイル」とは、シリコーンオイルの有機基の一部としてジアミン基（−ＲＮＨＲ’ＮＨ２。ただし、ＲおよびＲ’は、それぞれ２価の有機基である。）を有するものを意味する。「溶剤」とは、それ単独で、またはそれ以外の溶剤と組み合わせることによってジアミン変性シリコーンオイルを溶解でき、潤滑剤塗膜を形成する際の温度で蒸発でき、かつ潤滑剤や添加剤と反応しない、常温（２５℃）で液状の化合物を意味する。「ｔＤＣＥに可溶である有機溶剤」とは、溶剤を所望の濃度となるようにｔＤＣＥに混合して、常温（２５℃）で撹拌することによって二層分離や濁りを起こさずに均一に溶解できる有機溶剤を意味する。「引火点を有しない」とは、２３℃〜沸点の間に引火点を有しないことを意味する。「ジアミン基含有アルコキシシラン」とは、ジアミン基と、ケイ素原子に結合したアルコキシ基とを有する化合物を意味する。
【００１６】
＜潤滑剤溶液＞
本発明の潤滑剤溶液は、潤滑剤（Ａ）と、溶剤（Ｂ）とを含む。潤滑剤溶液は、必要に応じて、潤滑剤（Ａ）および溶剤（Ｂ）に加えて、添加剤（Ｃ）を、本発明の効果を損なわない範囲内で含んでもよい。
【００１７】
（潤滑剤（Ａ））
潤滑剤（Ａ）は、ジアミン変性シリコーンオイルを含む。潤滑剤（Ａ）は、必要に応じて、ジアミン変性シリコーンオイルに加えて、他の潤滑剤を、本発明の効果を損なわない範囲内で含んでもよい。
【００１８】
〔ジアミン変性シリコーンオイル〕
ジアミン変性シリコーンオイルまたはジアミン変性シリコーンオイルを含む潤滑剤（Ａ）の具体例としては、たとえば、下記のものが挙げられる。特公昭４６−３６２７号公報に記載されたジアミン基含有アルキルシロキサンとジメチルシロキサンとの共重合体を主成分とするもの。特公昭６１−３５８７０号公報または特公昭６２−５２７９６号公報に記載されたジアミン基含有シランとエポキシ基含有シランとの反応生成物と、シラノール基含有ジオルガノポリシロキサンとの反応生成物を主成分とするもの。特開平７−１７８１５９号公報に記載された側鎖および／または末端にジアミン基を有するシリコーンとジオルガノポリシロキサンとの混合物。特開平１０−３０９３１６号公報に記載されたジアミン基含有アルコキシシラン、エポキシ基含有アルコキシシランおよび両末端にシラノール基を有するシリコーンを反応させて得られたシリコーンと、非反応性シリコーンとの混合物。
【００１９】
ジアミン変性シリコーンオイルとしては、入手しやすさ、金属表面への吸着性、および潤滑性に優れている点から、ジメチルポリシロキサンの側鎖または末端のメチル基の一部がジアミン基に置換された式（１）で表される化合物が好ましい。
【００２０】
【化１】
2016121795.tif 000002
【００２１】
式（１）において、Ａは、それぞれ独立してメチル基、ヒドロキシ基、エポキシ基、アルコキシ基（−ＯＲ”）、またはジアミン基（−ＲＮＨＲ’ＮＨ２）である。ただし、Ａのうち少なくとも１つはジアミン基である。ＲおよびＲ’は、それぞれ２価の有機基であり、Ｒ”は１価の有機基である。ｍおよびｎは、それぞれ１以上の整数である。Ｒとしては、アルキレン基が好ましく、炭素数１〜５のアルキレン基がより好ましく、炭素数３のアルキレン基が特に好ましい。Ｒ’としては、アルキレン基が好ましく、炭素数１〜５のアルキレン基がより好ましく、炭素数２のアルキレン基が特に好ましい。Ｒ”としては、アルキル基が好ましく、炭素数１〜３のアルキル基がより好ましく、メチル基が特に好ましい。
【００２２】
ジアミン変性シリコーンオイルまたはジアミン変性シリコーンオイルを含む潤滑剤（Ａ）の市販品としては、たとえば、下記のものが挙げられる。モメンティブ・パフォーマンス・マテリアルズ・ジャパン社製の「ＴＳＦ４７０２」、「ＴＳＦ４７０３」、「ＴＳＦ４７０４」、「ＴＳＦ４７０５」、「ＴＳＦ４７０６」、「ＴＳＦ４７０７」、「ＴＳＦ４７０８」。東レ・ダウコーニング社製の「ＳＦ８４１７」、「ＢＹ１６−８４９」、「ＢＹ１６−２０５」、「ＦＺ−３７６０」、「ＢＹ１６−８９２」、「ＦＺ−３７８５」、「ＢＹ１６−８７２」、「ＢＹ１６−８９３」、「ＦＺ−３７８９」、「ＭＤＸ４−４１５９」。旭化成ワッカーシリコーン社製の「Ｌ６５３」、「Ｌ６５５」、「Ｌ６５６」、「Ｌ６６２」、「ＷＲ２１０」、「ＷＲ３０１」、「ＷＲ１１００」、「ＷＲ１２００」、「ＷＲ１３００」、「ＷＲ１２５０」、「ＷＴ１６５０」、「６５０００ＶＰ」。信越化学工業社製の「ＫＦ−８５９」、「ＫＦ−３９３」、「ＫＦ−８６０」、「ＫＦ−８８０」、「ＫＦ−８００４」、「ＫＦ−８００２」、「ＫＦ−８００５」、「ＫＦ−８６７」、「ＫＦ−８０２１」、「ＫＦ−８９６」、「ＫＦ−８６１」。ジアミン変性シリコーンオイルは、１種を単独で用いてもよく、２種以上を併用してもよい。
【００２３】
〔他の潤滑剤〕
他の潤滑剤としては、ｔＤＣＥへの溶解性が優れる点から、ジアミン変性シリコーンオイル以外のシリコーン系潤滑剤またはフッ素系潤滑剤が好ましい。求められる潤滑性能に応じて、他の潤滑剤は適宜選択される。他の潤滑剤は、液体（オイル）、半固体（グリース）、固体のいずれの形態であってもよい。
【００２４】
シリコーンオイルとしては、未変性のシリコーンオイルであるジメチルシリコーンオイル、または変性シリコーンオイル（ただし、ジアミン変性シリコーンオイルを除く。）が好ましい。変性シリコーンオイルとしては、ハイドロジェン変性シリコーンオイル、メチルフェニルシリコーンオイル、環状ジメチルシリコーンオイルが好ましい。シリコーンオイルの市販品としては、たとえば、下記のものが挙げられる。信越化学工業社製の「ＫＦ−９６」、「ＫＦ−９６５」、「ＫＦ−９６８」、「ＫＦ−９９」、「ＫＦ−５０」、「ＫＦ−５４」、「ＨＩＶＡＣ  Ｆ−４」、「ＨＩＶＡＣ  Ｆ−５」、「ＫＦ−５６Ａ」、「ＫＦ−９９５」。東レ・ダウコーニング社製の「ＳＨ２００」。
【００２５】
シリコーングリースとしては、シリコーンオイルを基油として、金属石けん等の増ちょう剤、各種添加剤を配合したものが好ましい。シリコーングリースの市販品としては、たとえば、下記のものが挙げられる。信越化学工業社製の「Ｇ−３０シリーズ」、「Ｇ−４０シリーズ」、「ＦＧ−７２０シリーズ」、「Ｇ−４１１」、「Ｇ−５０１」、「Ｇ−６５００」、「Ｇ−３３０」、「Ｇ−３４０」、「Ｇ−３５０」、「Ｇ−６３０」。東レ・ダウコーニング社製の「モリコート（登録商標）ＳＨ３３Ｌ」、「モリコート（登録商標）４１」、「モリコート（登録商標）４４」、「モリコート（登録商標）８２２Ｍ」、「モリコート（登録商標）１１１」、「モリコート（登録商標）高真空用グリース」、「モリコート（登録商標）熱拡散コンパウンド」。
【００２６】
フッ素系潤滑剤としては、フッ素オイル、フッ素グリース、フッ素系固体潤滑剤（ポリテトラフルオロエチレンの粉末等）が挙げられる。シリコーン系潤滑剤としては、シリコーンオイル、シリコーングリースが挙げられる。フッ素系潤滑剤であり、かつシリコーン系潤滑剤であるものとしては、末端または側鎖をフルオロアルキル基で置換した変性シリコーンオイルであるフロロシリコーンオイルが挙げられる。
【００２７】
フッ素オイルとしては、パーフルオロポリエーテル、クロロトリフルオロエチレンの低重合物が好ましい。フッ素オイルの市販品としては、たとえば、下記のものが挙げられる。デュポン社製の「クライトックス（登録商標）ＧＰＬ１０２」。ダイキン工業社製の「ダイフロイル（登録商標）＃１」、「ダイフロイル（登録商標）＃３」、「ダイフロイル（登録商標）＃１０」、「ダイフロイル（登録商標）＃２０」、「ダイフロイル（登録商標）＃５０」、「ダイフロイル（登録商標）＃１００」、「デムナム（登録商標）Ｓ−６５」。ソルベイスペシャリティーポリマーズ社製の「フォンブリン（登録商標）Ｍ０３」、「フォンブリン（登録商標）Ｍ１５」、「フォンブリン（登録商標）Ｍ３０」、「フォンブリン（登録商標）Ｍ６０」、「フォンブリン（登録商標）Ｍ１００」、「フォンブリン（登録商標）Ｙ０４」、「フォンブリン（登録商標）Ｙ０６」、「フォンブリン（登録商標）Ｙ２５」、「フォンブリン（登録商標）Ｙ４５」、「フォンブリン（登録商標）ＹＲ」、「フォンブリン（登録商標）ＹＰＬ１５００」、「フォンブリン（登録商標）ＹＰＬ１８００」、「フォンブリン（登録商標）ＹＬＶＡＣ０６／６」、「フォンブリン（登録商標）ＹＬＶＡＣ１４／６」、「フォンブリン（登録商標）ＹＬＶＡＣ１６／６」、「フォンブリン（登録商標）ＹＬＶＡＣ２５／６」、「フォンブリン（登録商標）ＹＨＶＡＣ１８／８」、「フォンブリン（登録商標）ＹＨＶＡＣ２５／９」、「フォンブリン（登録商標）ＹＨＶＡＣ４０／１１」、「フォンブリン（登録商標）ＹＨＶＡＣ１４０／１３」、「フォンブリン（登録商標）Ｗ１５０」、「フォンブリン（登録商標）Ｗ５００」、「フォンブリン（登録商標）Ｗ８００」、「フォンブリン（登録商標）Ｚ０３」、「フォンブリン（登録商標）Ｚ１５」、「フォンブリン（登録商標）Ｚ２５」、「フォンブリン（登録商標）Ｚ６０」。
【００２８】
フッ素グリースとしては、フッ素オイルを基油として、ポリテトラフルオロエチレンの粉末やその他の増ちょう剤を配合したものが好ましい。フッ素グリースの市販品としては、たとえば、下記のものが挙げられる。デュポン社製の「クライトックス（登録商標）グリース２４０ＡＣ」。ダイキン工業社製の「ダイフロイル（登録商標）グリースＤＧ−２０３」、「デムナム（登録商標）Ｌ６５」、「デムナム（登録商標）Ｌ１００」、「デムナム（登録商標）Ｌ２００」。住鉱潤滑剤社製の「スミテックＦ９３６」。東レ・ダウコーニング社製の「モリコート（登録商標）ＨＰ−３００」、「モリコート（登録商標）ＨＰ−５００」、「モリコート（登録商標）ＨＰ−８７０」、「モリコート（登録商標）６１６９」。ソルベイスペシャリティーポリマーズ社製の「フォンブリン（登録商標）ＯＴ−２０」、「フォンブリン（登録商標）ＲＴ−１５」、「フォンブリン（登録商標）ＹＶＡＣ２」、「フォンブリン（登録商標）ＹＶＡＣ３」。
【００２９】
フロロシリコーンオイルの市販品としては、たとえば、下記のものが挙げられる。ダイキン工業社製の「ユニダイン（登録商標）ＴＧ−５６０１」。東レ・ダウコーニング社製の「モリコート（登録商標）３４５１」、「モリコート（登録商標）３４５２」。信越化学工業社製の「ＦＬ−５」、「Ｘ−２２−８２１」、「Ｘ−２２−８２２」、「ＦＬ−１００」。
【００３０】
潤滑剤（Ａ）に含まれる他の潤滑剤は、１種であってもよく、２種以上であってもよい。シリコーン系潤滑剤とフッ素系潤滑剤は、それぞれを単独で用いてもよく、それらを併用してもよい。
【００３１】
（溶剤（Ｂ））
溶剤（Ｂ）は、ｔＤＣＥと、ＨＦＥ−３４７ｐｃ−ｆとを含む。溶剤（Ｂ）は、必要に応じて、ｔＤＣＥおよびＨＦＥ−３４７ｐｃ−ｆに加えて、ｔＤＣＥに可溶な有機溶剤（Ｂ１）を、本発明の効果を損なわない範囲内で含んでもよい。なお、溶剤（Ｂ）には、ｔＤＣＥ、ＨＦＥ−３４７ｐｃ−ｆ、および有機溶剤（Ｂ１）以外の他の溶剤は含まれないことが好ましい。
【００３２】
〔ｔＤＣＥ〕
ｔＤＣＥは、炭素原子−炭素原子間に二重結合を有するオレフィンであるため、大気中での寿命が短く、地球環境に悪影響を及ぼさない。ｔＤＣＥは、沸点が約４９℃であるため、乾燥性に優れている。また、沸騰させて蒸気となっても沸点が約４９℃であるため、ｔＤＣＥは樹脂部品等の熱による影響を受けやすい部品に対しても悪影響を及ぼしにくい。ｔＤＣＥは、表面張力や粘度が低く、室温でも容易に蒸発する。ｔＤＣＥは、他の潤滑剤の溶解性に優れる。以上のように、ｔＤＣＥは、引火点を有すること以外は、潤滑剤溶液における溶剤としての充分な性能を有している。
【００３３】
ｔＤＣＥの市販品としては、たとえば、下記のものが挙げられる。大同エアプロダクツ・エレクトロニクス社製の「Ｔｒａｎｓ−ＬＣ（登録商標）」。ＰＰＧ  ＩＮＤＵＳＴＲＩＥＳ  ＩＮＣ社製の「ｔｒａｎｓ−１，２−ｄｉｃｈｌｏｒｏｅｔｈｙｌｅｎｅ」。
【００３４】
〔ＨＦＥ−３４７ｐｃ−ｆ〕
ＨＦＥ−３４７ｐｃ−ｆは、オゾン破壊係数がゼロであり、地球温暖化係数が小さい。ＨＦＥ−３４７ｐｃ−ｆは、沸点が約５６℃であるため、乾燥性に優れている。また、沸騰させて蒸気となっても沸点が約５６℃であるため、ＨＦＥ−３４７ｐｃ−ｆは樹脂部品等の熱による影響を受けやすい部品に対しても悪影響を及ぼしにくい。ＨＦＥ−３４７ｐｃ−ｆは、引火点を有しない。ＨＦＥ−３４７ｐｃ−ｆは、表面張力や粘度が低く、室温でも容易に蒸発する。以上のように、ＨＦＥ−３４７ｐｃ−ｆは、ジアミン変性シリコーンオイルの溶解性が低いこと以外は、潤滑剤溶液における溶剤としての充分な性能を有している。
【００３５】
ＨＦＥ−３４７ｐｃ−ｆは、たとえば、国際公開第２００４／１０８６４４号に記載された非プロトン性極性溶媒および触媒（アルカリ金属アルコキシドまたはアルカリ金属水酸化物）の存在下に、２，２，２−トリフルオロエタノールとテトラフルオロエチレンとを反応させる方法によって製造できる。
【００３６】
ＨＦＥ−３４７ｐｃ−ｆの市販品としては、たとえば、下記のものが挙げられる。旭硝子社製の「アサヒクリン（登録商標）ＡＥ−３０００」。
【００３７】
〔有機溶剤（Ｂ１）〕
有機溶剤（Ｂ１）は、ｔＤＣＥに可溶な有機溶剤である。有機溶剤（Ｂ１）は、溶解性を高める、揮発速度を調節する等の各種の目的に応じて、適宜選択される。
【００３８】
有機溶剤（Ｂ１）としては、ｔＤＣＥに可溶な炭化水素類、アルコール類、ケトン類、エーテル類、エステル類、クロロカーボン類（ｔＤＣＥを除く。）、ＨＦＣ類、ＨＦＥ類（ＨＦＥ−３４７ｐｃ−ｆを除く。）、ハイドロフルオロオレフィン類（以下、ＨＦＯ類とも記す。）、クロロフルオロオレフィン類（以下、ＣＦＯ類とも記す。）、ハイドロクロロフルオロオレフィン類（ＨＣＦＯ類）等が挙げられる。
【００３９】
ｔＤＣＥに可溶な炭化水素類としては、炭素数が５以上の炭化水素類が好ましい。炭化水素類は、鎖状の炭化水素類であってもよく、環状の炭化水素類であってもよく、また、飽和炭化水素類であってもよく、不飽和炭化水素類であってもよい。ｔＤＣＥに可溶な炭化水素類としては、ｎ−ペンタン、２−メチルブタン、ｎ−ヘキサン、２−メチルペンタン、２，２−ジメチルブタン、２，３−ジメチルブタン、ｎ−ヘプタン、２−メチルヘキサン、３−メチルヘキサン、２，４−ジメチルペンタン、ｎ−オクタン、２−メチルヘプタン、３−メチルヘプタン、４−メチルヘプタン、２，２−ジメチルヘキサン、２，５−ジメチルヘキサン、３，３−ジメチルヘキサン、２−メチル−３−エチルペンタン、３−メチル−３−エチルペンタン、２，３，３−トリメチルペンタン、２，３，４−トリメチルペンタン、２，２，３−トリメチルペンタン、２−メチルヘプタン、２，２，４−トリメチルペンタン、ｎ−ノナン、２，２，５−トリメチルヘキサン、ｎ−デカン、ｎ−ドデカン、２−メチル−２−ブテン、１−ペンテン、２−ペンテン、１−ヘキセン、１−オクテン、１−ノネン、１−デセン、シクロペンタン、メチルシクロペンタン、シクロヘキサン、メチルシクロヘキサン、エチルシクロヘキサン、ビシクロヘキサン、シクロヘキセン、α−ピネン、ジペンテン、デカリン、テトラリン、アミルナフタレン等が含まれる。その中でもｎ−ペンタン、シクロペンタン、ｎ−ヘキサン、シクロヘキサン、ｎ−ヘプタンが好ましい。
【００４０】
ｔＤＣＥに可溶なアルコール類としては、炭素数１〜１６のアルコール類が好ましく、ｔＤＣＥおよびＨＦＥ−３４７ｐｃ−ｆとの共沸組成を有する点から、炭素数１〜３のアルコール類がより好ましい。アルコール類は、鎖状のアルコール類であってもよく、環状のアルコール類であってもよく、また、飽和アルコール類であってもよく、不飽和アルコール類であってもよい。ｔＤＣＥに可溶なアルコール類としては、メタノール、エタノール、ｎ−プロピルアルコール、イソプロピルアルコール、ｎ−ブチルアルコール、ｓｅｃ−ブチルアルコール、イソブチルアルコール、ｔｅｒｔ−ブチルアルコール、１−ペンタノール、２−ペンタノール、１−エチル−１−プロパノール、２−メチル−１−ブタノール、３−メチル−１−ブタノール、３−メチル−２−ブタノール、ネオペンチルアルコール、１−ヘキサノール、２−メチル−１−ペンタノール、４−メチル−２−ペンタノール、２−エチル−１−ブタノール、１−ヘプタノール、２−ヘプタノール、３−ヘプタノール、１−オクタノール、２−オクタノール、２−エチル−１−ヘキサノール、１−ノナノール、３，５，５−トリメチル−１−ヘキサノール、１−デカノール、１−ウンデカノール、１−ドデカノール、アリルアルコール、プロパルギルアルコール、ベンジルアルコール、シクロヘキサノール、１−メチルシクロヘキサノール、２−メチルシクロヘキサノール、３−メチルシクロヘキサノール、４−メチルシクロヘキサノール、α−テルピネオール、２，６−ジメチル−４−ヘプタノール、ノニルアルコール、テトラデシルアルコール等が含まれる。その中でも、メタノール、エタノール、イソプロピルアルコールが好ましい。
【００４１】
ｔＤＣＥに可溶なケトン類としては、炭素数３〜９のケトン類が好ましい。ケトン類は、鎖状のケトン類であってもよく、環状のケトン類であってもよく、また、飽和ケトン類であってもよく、不飽和ケトン類であってもよい。ｔＤＣＥに可溶なケトン類としては、アセトン、メチルエチルケトン、２−ペンタノン、３−ペンタノン、２−ヘキサノン、メチルイソブチルケトン、２−ヘプタノン、３−ヘプタノン、４−ヘプタノン、ジイソブチルケトン、メシチルオキシド、ホロン、２−オクタノン、シクロヘキサノン、メチルシクロヘキサノン、イソホロン、２，４−ペンタンジオン、２，５−ヘキサンジオン、ジアセトンアルコール、アセトフェノン等が含まれる。その中でも、アセトン、メチルエチルケトンが好ましい。
【００４２】
ｔＤＣＥに可溶なエーテル類としては、炭素数２〜８のエーテル類が好ましい。エーテル類は、鎖状のエーテル類であってもよく、環状のエーテル類であってもよく、また、飽和エーテル類であってもよく、不飽和エーテル類であってもよい。ｔＤＣＥに可溶なエーテル類としては、ジエチルエーテル、ジプロピルエーテル、ジイソプロピルエーテル、ジブチルエーテル、エチルビニルエーテル、ブチルビニルエーテル、アニソール、フェネトール、メチルアニソール、フラン、メチルフラン、テトラヒドロフラン等が含まれる。その中でも、ジエチルエーテル、ジイソプロピルエーテル、テトラヒドロフランが好ましい。
【００４３】
ｔＤＣＥに可溶なエステル類としては、炭素数２〜１９のエステル類が好ましい。エステル類は、鎖状のエステル類であってもよく、環状のエステル類であってもよく、また、飽和エステル類であってもよく、不飽和エステル類であってもよい。ｔＤＣＥに可溶なエステル類としては、ギ酸メチル、ギ酸エチル、ギ酸プロピル、ギ酸ブチル、ギ酸イソブチル、ギ酸ペンチル、酢酸メチル、酢酸エチル、酢酸プロピル、酢酸イソプロピル、酢酸ブチル、酢酸イソブチル、酢酸ｓｅｃ−ブチル、酢酸ペンチル、酢酸メトキシブチル、酢酸ｓｅｃ−ヘキシル、酢酸２−エチルブチル、酢酸２−エチルヘキシル、酢酸シクロヘキシル、酢酸ベンジル、プロピオン酸メチル、プロピオン酸エチル、プロピオン酸ブチル、酪酸メチル、酪酸エチル、酪酸ブチル、イソ酪酸イソブチル、２−ヒドロキシ−２−メチルプロピオン酸エチル、安息香酸メチル、安息香酸エチル、安息香酸プロピル、安息香酸ブチル、安息香酸ベンジル、γ−ブチロラクトン、シュウ酸ジエチル、シュウ酸ジブチル、シュウ酸ジペンチル、マロン酸ジエチル、マレイン酸ジメチル、マレイン酸ジエチル、マレイン酸ジブチル、酒石酸ジブチル、クエン酸トリブチル、セバシン酸ジブチル、フタル酸ジメチル、フタル酸ジエチル、フタル酸ジブチル等が含まれる。その中でも、酢酸メチル、酢酸エチルが好ましい。
【００４４】
ｔＤＣＥに可溶なクロロカーボン類としては、炭素数１〜３のクロロカーボン類が好ましい。クロロカーボン類は、鎖状のクロロカーボン類であってもよく、環状のクロロカーボン類であってもよく、また、飽和クロロカーボン類であってもよく、不飽和クロロカーボン類であってもよい。ｔＤＣＥに可溶なクロロカーボン類としては、塩化メチレン、１，１−ジクロロエタン、１，２−ジクロロエタン、１，１，２−トリクロロエタン、１，１，１，２−テトラクロロエタン、１，１，２，２−テトラクロロエタン、ペンタクロロエタン、１，１−ジクロロエチレン、シス−１，２−ジクロロエチレン、トリクロロエチレン、テトラクロロエチレン、１，２−ジクロロプロパン等が含まれる。その中でも、塩化メチレンが好ましい。
【００４５】
ｔＤＣＥに可溶なＨＦＣ類としては、炭素数４〜８の鎖状または環状のＨＦＣ類が好ましく、１分子中のフッ素原子数が水素原子数以上であるＨＦＣ類がより好ましい。ｔＤＣＥに可溶なＨＦＣ類としては、１，１，１，３，３−ペンタフルオロブタン、１，１，１，２，２，３，４，５，５，５−デカフルオロペンタン、１，１，２，２，３，３，４−ヘプタフルオロシクロペンタン、１，１，１，２，２，３，３，４，４−ノナフルオロヘキサン、１，１，１，２，２，３，３，４，４，５，５，６，６−トリデカフルオロヘキサン、１，１，１，２，２，３，３，４，４，５，５，６，６−トリデカフルオロオクタン等が含まれる。その中でも、１，１，１，２，２，３，４，５，５，５−デカフルオロペンタン、１，１，１，２，２，３，３，４，４−ノナフルオロヘキサン、１，１，１，２，２，３，３，４，４，５，５，６，６−トリデカフルオロヘキサンが好ましい。
【００４６】
ｔＤＣＥに可溶なＨＦＥ類としては、ＨＦＥ−４４９ｓ１、エチルペルフルオロブチルエーテル等が含まれる。その中でも、ＨＦＥ−４４９ｓ１が好ましい。ｔＤＣＥに可溶なＨＦＯ類としては、ＭＰＨＥ、１，１，１，４，４，４−ヘキサフルオロ−２−ブテン等が含まれる。ｔＤＣＥに可溶なＣＦＯ類としては、１，１−ジクロロ−２，３，３，３−テトラフルオロ−１−プロペン（ＣＦＯ−１２１４ｙａ）等が含まれる。ｔＤＣＥに可溶なＨＣＦＯ類としては、１−クロロ−３，３，３−トリフルオロプロペンのシスおよびトランス異性体、１，１−ジクロロ−３，３，３−トリフルオロプロペン等が含まれる。
【００４７】
溶剤（Ｂ）に含まれる有機溶剤（Ｂ１）は、１種であってもよく、２種以上であってもよい。また、２種以上の有機溶剤（Ｂ１）が溶剤（Ｂ）に含まれる場合、有機溶剤（Ｂ１）の組合せは同じ範疇の溶剤の組合せであってもよく、異なる範疇の溶剤の組合せであってもよい。たとえば、有機溶剤（Ｂ１）は、２種の炭化水素の組合せであってもよく、１種の炭化水素と１種のアルコールとの組合せであってもよい。
【００４８】
有機溶剤（Ｂ１）は引火点を有しない溶剤であることがさらに好ましい。引火点を有しない有機溶剤（Ｂ１）としては、１，１，１，２，２，３，４，５，５，５−デカフルオロペンタン、１，１，１，２，２，３，３，４，４−ノナフルオロヘキサン、１，１，１，２，２，３，３，４，４，５，５，６，６−トリデカフルオロヘキサン等のＨＦＣ類や、ＨＦＥ−４４９ｓ１等のＨＦＥ類等が挙げられる。有機溶剤（Ｂ１）として引火点を有する溶剤を用いる場合でも、溶剤（Ｂ）として引火点を有しない範囲でｔＤＣＥおよびＨＦＥ−３４７ｐｃ−ｆと混合して用いることが好ましい。また、ｔＤＣＥおよびＨＦＥ−３４７ｐｃ−ｆと有機溶剤（Ｂ１）とが共沸組成を形成する場合は、これらは共沸組成での使用も可能である。
【００４９】
（添加剤（Ｃ））
添加剤（Ｃ）は、潤滑剤溶液における潤滑剤（Ａ）および溶剤（Ｂ）以外の成分である。添加剤（Ｃ）としては、架橋剤、ｔＤＣＥとＨＦＥ−３４７ｐｃ−ｆと有機溶剤（Ｂ１）以外の他の溶剤；これら以外の他の添加剤が挙げられる。
【００５０】
架橋剤としては、アルコキシシラン類またはその部分縮合体（オリゴマー）が挙げられる。アルコキシシラン類としては、テトラアルコキシシラン、アルキル基またはアリール基を有するモノ、ジ、またはトリアルコキシシラン、反応性官能基を有するモノ、ジ、またはトリアルコキシシランなどのいわゆるシランカップリング剤が含まれる。アルコキシシラン類としては、金属との吸着性に優れる点から、ジアミン基含有アルコキシシランが好ましい。
【００５１】
ジアミン基含有アルコキシシランとしては、３−（２−アミノエチルアミノ）プロピルトリメトキシシラン、３−（２−アミノエチルアミノ）プロピルメチルジメトキシシラン等が挙げられる。ジアミン基含有アルコキシシランの市販品としては、たとえば、下記のものが挙げられる。信越化学工業社製の「ＫＢＭ−６０２」、「ＫＢＭ−６０３」。モメンティブ・パフォーマンス・マテリアルズ・ジャパン社製の「ＴＳＬ８３４０」、「ＴＳＬ８３４５」。
【００５２】
ｔＤＣＥとＨＦＥ−３４７ｐｃ−ｆと有機溶剤（Ｂ１）以外の他の溶剤、またはこれら以外の他の添加剤としては、ニトロメタン、ニトロエタン、ニトロプロパン、ニトロベンゼン、ジエチルアミン、トリエチルアミン、イソプロピルアミン、ジイソプロピルアミン、ブチルアミン、イソブチルアミン、ｔｅｒｔ−ブチルアミン、α−ピコリン、Ｎ−メチルベンジルアミン、ジアリルアミン、Ｎ−メチルモルホリン、フェノール、ｏ−クレゾール、ｍ−クレゾール、ｐ−クレゾール、チモール、ｐ−ｔｅｒｔ−ブチルフェノール、ｔｅｒｔ−ブチルカテコール、カテコール、イソオイゲノール、ｏ−メトキシフェノール、４，４’−ジヒドロキシフェニル−２，２−プロパン、サリチル酸イソアミル、サリチル酸ベンジル、サリチル酸メチル、２，６−ジ−ｔ−ブチル−ｐ−クレゾール、２−（２’−ヒドロキシ−５’−メチルフェニル）ベンゾトリアゾール、２−（２’−ヒドロキシ−３’−ｔ−ブチル−５’−メチルフェニル）−５−クロロベンゾトリアゾール、１，２，３−ベンゾトリアゾール、１−［（Ｎ，Ｎ−ビス−２−エチルヘキシル）アミノメチル］ベンゾトリアゾール、１，２−プロピレンオキサイド、１，２−ブチレンオキサイド、１，４−ジオキサン、ブチルグリシジルエーテル、フェニルグリシジルエーテル等が挙げられる。
【００５３】
（各成分の割合）
潤滑剤（Ａ）の割合は、潤滑剤溶液の１００質量％のうち、０．０１〜５０質量％が好ましく、０．０５〜３０質量％がより好ましく、０．１〜２０質量％がさらに好ましい。潤滑剤（Ａ）の割合が前記範囲内であれば、潤滑剤溶液を塗布したときの塗布膜の厚さ、および乾燥後の潤滑剤塗膜の厚さを適正範囲に調整しやすい。
【００５４】
潤滑剤（Ａ）は、ジアミン変性シリコーンオイルのみからなってもよく、他の潤滑剤を含んでいてもよい。潤滑剤（Ａ）がジアミン変性シリコーンオイルに加えて他の潤滑剤を含む場合、ジアミン変性シリコーンオイルの割合は、潤滑剤（Ａ）の１００質量％のうち、１〜９９質量％が好ましく、１０〜９５質量％がより好ましく、２０〜９０質量％がさらに好ましい。他の潤滑剤の割合は、潤滑剤（Ａ）の１００質量％のうち、１〜９９質量％が好ましく、５〜９０質量％がより好ましく、１０〜８０質量％がさらに好ましい。
【００５５】
溶剤（Ｂ）の割合は、潤滑剤溶液の１００質量％のうち、５０〜９９．９９質量％が好ましく、７０〜９９．９５質量％がより好ましく、８０〜９９．９質量％がさらに好ましい。溶剤（Ｂ）の割合が前記範囲内であれば、潤滑剤溶液を塗布したときの塗布膜の厚さ、および乾燥後の潤滑剤塗膜の厚さを適正範囲に調整しやすい。
【００５６】
ｔＤＣＥの割合は、ｔＤＣＥとＨＦＥ−３４７ｐｃ−ｆとの合計１００質量％のうち、４０〜７０質量％であり、４５〜６０質量％が好ましく、５０〜５５質量％がより好ましい。ＨＦＥ−３４７ｐｃ−ｆの割合は、ｔＤＣＥとＨＦＥ−３４７ｐｃ−ｆとの合計１００質量％のうち、３０〜６０質量％であり、４０〜５５質量％が好ましく、４５〜５０質量％がより好ましい。ｔＤＣＥの割合およびＨＦＥ−３４７ｐｃ−ｆの割合が前記範囲内であれば、ジアミン変性シリコーンオイルの溶解性に優れ、かつ潤滑剤溶液が引火点を有しない。
【００５７】
ｔＤＣＥおよびＨＦＥ−３４７ｐｃ−ｆの合計の割合は、溶剤（Ｂ）の１００質量％のうち、５０〜１００質量％が好ましく、７５〜１００質量％がより好ましく、８０〜１００質量％がさらに好ましい。溶剤（Ｂ）が有機溶剤（Ｂ１）を含む場合、溶剤（Ｂ）が引火点を有しない範囲で有機溶剤（Ｂ１）を含むことが好ましい。溶剤（Ｂ）が有機溶剤（Ｂ１）を含む場合、ｔＤＣＥおよびＨＦＥ−３４７ｐｃ−ｆの合計の割合は、溶剤（Ｂ）の１００質量％のうち、５０〜９９．９質量％が好ましく、７５〜９９．９質量％がより好ましく、８０〜９９．９質量％がさらに好ましい。有機溶剤（Ｂ１）の割合は、有機溶剤（Ｂ１）の引火特性に応じて、溶剤（Ｂ）が引火点を有しない範囲で適宜調整する必要があり、溶剤（Ｂ）の１００質量％のうち、０．１〜５０質量％が好ましく、０．１〜２５質量％がより好ましく、０．１〜２０質量％がさらに好ましい。ｔＤＣＥおよびＨＦＥ−３４７ｐｃ−ｆの合計の割合、および有機溶剤（Ｂ１）の割合が前記範囲内であれば、本発明の効果が充分に発揮される。
【００５８】
添加剤（Ｃ）の割合は、潤滑剤溶液の１００質量％のうち、５質量％以下が好ましく、３質量％以下がより好ましく、１質量％以下がさらに好ましい。添加剤（Ｃ）の割合が前記範囲内であれば、本発明の効果が充分に発揮される。
【００５９】
潤滑剤溶液がジアミン基含有アルコキシシランを含む場合、ジアミン基含有アルコキシシランの割合は、潤滑剤溶液の１００質量％のうち、０．０１〜５質量％が好ましく、０．０５〜３質量％がより好ましく、０．１〜１質量％がさらに好ましい。ジアミン基含有アルコキシシランの割合が前記下限値以上であれば、架橋剤としての効果が充分に発揮される。ジアミン基含有アルコキシシランの割合が前記上限値以下であれば、本発明の効果が充分に発揮される。
【００６０】
本発明の潤滑剤溶液は、溶剤として、オゾン破壊係数や地球温暖化係数が小さいｔＤＣＥおよびＨＦＥ−３４７ｐｃ−ｆを用いているため、地球環境に悪影響を及ぼさない。また、溶剤として、ジアミン変性シリコーンオイルの溶解性に優れるｔＤＣＥと、ジアミン変性シリコーンオイルの溶解性は低いが、引火点を有しないＨＦＥ−３４７ｐｃ−ｆとを、特定の割合で用いることで、ジアミン変性シリコーンオイルの溶解性に優れ、潤滑剤溶液の保存中に白濁または潤滑剤が分離することがなく、かつ潤滑剤溶液が引火点を有しない。
【００６１】
＜潤滑剤塗膜付き物品の製造方法＞
本発明の潤滑剤塗膜付き物品の製造方法は、下記の工程（ａ）および工程（ｂ）を有する。工程（ａ）は、本発明の潤滑剤溶液を被塗布物の表面に塗布する。工程（ｂ）は、被塗布物の表面に塗布された潤滑剤溶液中の溶剤（Ｂ）を蒸発させ、被塗布物の表面に潤滑剤（Ａ）を含む塗膜である潤滑剤塗膜を形成する。
【００６２】
（工程（ａ））
被塗布物としては、金属、プラスチック、エラストマー、ガラス、セラミックス等、様々な材質が挙げられ、金属が好ましい。被塗布物の具体例としては、注射器の注射針やシリンダ、医療用チューブ部品、金属刃、カテーテル等が挙げられ、注射針が好ましい。
【００６３】
潤滑剤溶液の塗布方法としては、たとえば、刷毛による塗布、スプレーによる塗布、被塗布物を潤滑剤溶液に浸漬することによる塗布等が挙げられる。
【００６４】
（工程（ｂ））
被塗布物の表面に塗布された潤滑剤溶液中の溶剤（Ｂ）を蒸発させる方法としては、公知の乾燥方法が挙げられる。乾燥方法としては、たとえば、風乾、加熱による乾燥等が挙げられる。乾燥温度は、２０〜１００℃が好ましい。被塗布物に塗布された潤滑剤溶液中の溶剤（Ｂ）を蒸発させることによって、被塗布物の表面に潤滑剤塗膜が形成される。こうして、被塗布物の表面に潤滑剤塗膜を備える潤滑剤塗膜付き物品が製造される。
【００６５】
本発明の潤滑剤塗膜付き物品の製造方法は、溶剤としてオゾン破壊係数や地球温暖化係数が小さいｔＤＣＥおよびＨＦＥ−３４７ｐｃ−ｆを含む本発明の潤滑剤溶液を用いているため、地球環境に悪影響を及ぼさない。また、ジアミン変性シリコーンオイルの溶解性に優れ、保存中に白濁または潤滑剤が分離することがない本発明の潤滑剤溶液を用いるため、均一な潤滑剤塗膜を形成できる。また、引火点を有しない本発明の潤滑剤溶液を用いているため、潤滑剤塗膜付き物品を安全に製造できる。
【実施例】
【００６６】
以下、実施例によって本発明を詳細に説明するが、本発明はこれらに限定されない。例１〜５、７〜１１は参考例であり、例６、１２、１３、１６〜２１、２３〜２７、３０、３１、３４、３５は実施例であり、例１４、１５、２２、２８、２９、３２、３３は比較例である。【００６７】
（溶解性試験）
耐熱ガラス瓶に下記で調整した溶剤（Ｂ）の１００ｇを入れ、溶剤（Ｂ）に試験対象物である下記のシリコーンオイルの所定量を２３℃で添加した。試験対象物を２３℃で添加した直後の潤滑剤溶液、および２３℃で５日間保存した潤滑剤溶液の状態を観察し、下記基準にて溶解性を評価した。
Ａ：優であり、白濁または潤滑剤の分離は見られない。
Ｂ：良であり、薄い白濁が見られるが、実用上問題ない。
Ｃ：不良であり、はっきりと白濁または潤滑剤の分離が見られる。【００６８】
（引火点）
シリコーンオイルを添加する前の溶剤について、クリーブランド開放式引火点測定器（吉田製作所社製、型式８２８）を用いて２３℃から沸点までの引火点の有無を確認した。【００６９】
（例１〜１３）
〔溶剤（Ｂ）への各種シリコーンオイルの溶解性〕
ｔＤＣＥ（ＰＰＧ  ＩＮＤＵＳＴＲＩＥＳ  ＩＮＣ社製、ｔｒａｎｓ−１，２−ｄｉｃｈｌｏｒｏｅｔｈｙｌｅｎｅ）、ＨＦＥ−３４７ｐｃ−ｆ（旭硝子社製、アサヒクリン（登録商標）ＡＥ−３０００）、およびエタノールを表１に示す割合で含む溶剤（Ｂ）に下記シリコーンオイルの所定量を添加し、潤滑剤溶液を調製し、溶解性を評価した。結果を表１に示す。例１、２、７、８は、ジメチルシリコーンオイル（信越化学工業社製、ＫＦ−９６）を用いた。例３、９は、エポキシ変性シリコーンオイル（信越化学工業社製、ＫＦ−１０１）を用いた。例４、１０は、モノアミン変性シリコーンオイル（信越化学工業社製、ＫＦ−８６８）を用いた。例５、１１は、ハイドロジェン変性シリコーンオイル（信越化学工業社製、ＫＦ−９９）を用いた。例６、１２、１３は、ジアミン変性シリコーンオイル（信越化学工業社製、ＫＦ−８５９）を用いた。【００７０】
【表１】
2016121795.tif 000003
【００７１】
表１に示すように、溶剤（Ｂ）は、各シリコーンオイルの溶解性が高いことがわかる。【００７２】
（例１４〜２５）
〔溶剤へのジアミン変性シリコーンオイルの溶解性および溶剤の引火点〕
ｔＤＣＥ（ＰＰＧ  ＩＮＤＵＳＴＲＩＥＳ  ＩＮＣ社製、ｔｒａｎｓ−１，２−ｄｉｃｈｌｏｒｏｅｔｈｙｌｅｎｅ）、ＨＦＥ−３４７ｐｃ−ｆ（旭硝子社製、アサヒクリン（登録商標）ＡＥ−３０００）、およびエタノールを表２に示す割合で含む溶剤を調製した。各溶剤にジアミン変性シリコーンオイル（信越化学工業社製、ＫＦ−８５９）の所定量を添加し、潤滑剤溶液を調製し、溶解性および引火点を評価した。結果を表２に示す。【００７３】
【表２】
2016121795.tif 000004
【００７４】
例１４、１５では、ｔＤＣＥの割合が多いため、溶剤が引火点を有した。例１６〜２１、２３〜２５では、ｔＤＣＥとＨＦＥ−３４７ｐｃ−ｆとの割合が本発明の範囲内であるため、ジアミン変性シリコーンオイルが溶解し、かつ溶剤（Ｂ）が引火点を有しなかった。例２２では、ＨＦＥ−３４７ｐｃ−ｆの割合が多いため、ジアミン変性シリコーンオイルが溶解せず、ジアミン変性シリコーンオイルの添加直後に潤滑剤溶液は２層に分離した。【００７５】
（例２６〜３３）
〔各種溶剤へのジアミン変性シリコーンオイルの溶解性〕
各種溶剤とジアミン変性シリコーンオイル（信越化学工業社製、ＫＦ−８５９）またはジアミン変性シリコーンオイルの５０質量％を含むシリコーンオイル製品（東レ・ダウコーニング社製、ＭＤＸ４−４１５９）とを表３に示す割合で含む潤滑剤溶液を調製し、溶解性を評価した。結果を表３に示す。例２８、３２は、Ｎｏｖｅｃ（登録商標）ＨＦＥ−７１ＤＥ（スリーエムジャパン社製、ｔＤＣＥ／ＨＦＥ−４４９ｓ１＝５０／５０（質量比））を用いた。例２９、３３は、Ｖｅｒｔｒｅｌ（登録商標）Ｓｉｏｎ（デュポン社製、ｔＤＣＥとＨＦＯ類との混合物）を用いた。【００７６】
【表３】
2016121795.tif 000005
【００７７】
例２６、２７、３０、３１では、ｔＤＣＥとＨＦＥ−３４７ｐｃ−ｆとの割合が本発明の範囲内であるため、潤滑剤溶液に白濁または潤滑剤の分離は見られなかった。例２８、２９、３２、３３は、ＨＦＥ−３４７ｐｃ−ｆ以外の含フッ素溶媒を含むため、５日後の潤滑剤溶液に白濁または潤滑剤の分離が見られ、保存安定性が悪かった。【００７８】
（例３４）
〔潤滑剤溶液の塗布試験〕
ｔＤＣＥの５０．３質量％とＨＦＥ−３４７ｐｃ−ｆの４９．７質量％とからなる溶剤（Ｂ）を調製した。溶剤（Ｂ）に、ジアミン変性シリコーンオイル（信越化学工業社製、ＫＦ−８５９）を、溶液中の当該オイル濃度が３質量％となるように添加し、潤滑剤溶液を調製した。鉄製の板にアルミニウムを蒸着させたアルミニウム蒸着板の表面に、潤滑剤溶液を平均厚さ約０．４ｍｍで塗布し、１９〜２１℃の条件下で風乾することによって、アルミニウム蒸着板の表面に潤滑剤塗膜を形成した。潤滑剤溶液に白濁は見られず、塗布後の潤滑剤溶液から溶剤（Ｂ）が速やかに蒸発し、潤滑剤塗膜の状態も良好であった。【００７９】
（例３５）
〔潤滑剤溶液の塗布試験〕
ｔＤＣＥの５０．５質量％とＨＦＥ−３４７ｐｃ−ｆの４７．５質量％とエタノールの２質量％とからなる溶剤（Ｂ）を調製した。そして、該溶剤（Ｂ）を用いた以外は例３４と同様にして潤滑剤溶液を調製し、アルミニウム蒸着板の表面に潤滑剤塗膜を形成した。潤滑剤溶液に白濁は見られず、塗布後の潤滑剤溶液から溶剤（Ｂ）が速やかに蒸発し、潤滑剤塗膜の状態も良好であった。
【産業上の利用可能性】
【００８０】
本発明の潤滑剤溶液は、注射針等の金属の表面に潤滑剤塗膜を形成するための潤滑剤溶液として有用である。
【国際調査報告】
2016121795.tif 000006
2016121795.tif 000007
2016121795.tif 000008
2016121795.tif 000009